Podtech/llm-jp-corpus-v4-ja_patent huggingface dataset:
(57)【要約】【課題】  本考案は携帯し移動先や営業先等で容易に設置することができる軽量で小型に収納可能な携帯用飛沫防止パーテーションを提供するものである。【解決手段】  伸縮棒を三脚に接続して形成したスタンド１を２本自立させ、透明フィルム又は透明ビニール袋を上からかけてシールド２を形成する。２本のスタンド１をテーブル等平面台上にシールド２の幅に離して設置する。２本のスタンドとシールドの上下を補助棒８で固定する。以上により携帯用飛沫防止パーテーションを構成する。【選択図】図１
0003234083.tif 000002
【実用新案登録請求の範囲】
【請求項１】
三脚で自立した２本のスタンドの上部から、透明フィルム又は透明ビニール袋をかけ、テーブル等平面台上にシールドの幅にスタンド２本を離して配置し、上下を２本の補助棒で固定させて設置することを特徴とした携帯用飛沫防止パーテーション。
【請求項２】
金属等で形成された伸縮棒を樹脂又は金属等で形成された三脚に接続してスタンド部分が構成されていることを特徴とする請求項１の携帯用飛沫防止パーテーション。
【請求項３】
薄い透明フィルムの両端を袋状にしてシールド部分が形成されていることを特徴とした請求項１の携帯用飛沫防止パーテーション。
【請求項４】
樹脂又は金属等で形成された伸縮棒と樹脂等で形成されたジョイントフックを組み合わせて構成された補助棒を特徴とした請求項１記載の携帯用飛沫防止パーテーション
【考案の詳細な説明】
【技術分野】
【０００１】  本考案は、樹脂又は金属等からなる携帯可能な飛沫防止パーテーションに関する。
【背景技術】
【０００２】  新型コロナウィルスの感染拡大により、飛沫感染を防止する感染症対策アイテムとして、対面での食事や会話の際にパーテーションや防護パネルが使用されている。
【先行技術文献】
【特許文献】
【０００３】
【特許文献１】実用新案登録第３２３１４１４号
【特許文献２】実用新案登録第３２３０１１４号
【考案の概要】
【考案が解決しようとする課題】
【０００４】  しかしながら特許文献１や特許文献２のような従来のパーテーションではパネルにアクリル板等が多く使われており、パーテーションとして十分な遮蔽面積を確保すると大きく嵩張り重量も重くなるなど、移動先や営業先等への携行が難しい。使用しない場合の保管にも大きなスペースが必要であり、アクリル板等で作られたシールド部分の消毒滅菌作業も必要で手間がかかるという欠点があった。
【課題を解決するための手段】
【０００５】  本考案は金属等で形成された伸縮棒を樹脂又は金属等で形成された三脚に接続してスタンド部分を形成する。三脚は安定しやすい一般的な形状であればどのタイプでも形成可能である。スタンドの伸縮棒を伸ばし三脚を開いて自立させた物を２本用意する。樹脂等で形成された透明フィルムの両端の袋の開口部を２本のスタンド上部からそれぞれ通してかけシールド部分を形成する。２本のスタンドをテーブル等平面台上にシールドの幅に離して設置する。２本のスタンドとシールドの上下を補助棒で固定する。以上により携帯用飛沫防止パーテーションを構成することができる。前記透明フィルムは透明ビニール袋で代用可能である。【０００６】  シールド部分の樹脂等で形成された透明フィルム、又は透明ビニール袋は使用のたび取り換えるので消毒滅菌作業を必要としない。【０００７】  スタンド部分は束ねることのできる三脚と伸縮棒で構成されており、シールド部分も薄い透明フィルム又は透明ビニール袋なので折り畳み可能である。以上により軽量化と小型化を実現し課題を解決するものである。
【考案の効果】
【０００８】  本考案に係る携帯用飛沫防止パーテーションはスタンド部分もシールド部分も小さく収納でき軽量である。常に携行し移動先や営業先等で取り付け取外しが容易である。使わない時も省スペースで保管でき、シールド部分は面倒な消毒滅菌作業を必要としない。
【図面の簡単な説明】
【０００９】
【図１】  本考案の携帯用飛沫防止パーテーションの実施例を示す正面図である
【図２】  本考案の携帯用飛沫防止パーテーションの両端のスタンド部分の形態と設置方法を示す詳細図である。
【図３】  本考案の携帯用飛沫防止パーテーションのシールド部分、両端を袋状にした透明フィルムの詳細図である
【図４】  本考案の携帯用飛沫防止パーテーションの補助棒とジョイントフックの詳細図である
【考案を実施するための形態】
【００１０】  図２に示すように、金属等でできた伸縮棒３を樹脂又は金属等からなる三脚４に接続してスタンド１を形成する。伸縮棒３を伸ばし三脚４を開いてスタンド１を自立させる。
【００１１】  自立させたスタンド１を２本用意し、図３の樹脂等で形成された透明フィルムの両端袋の開口部６をそれぞれ伸縮棒３にかぶせて通しシールド２を形成する。透明フィルム２は透明ビニール袋でも代用できる。
【００１２】  スタンド１をテーブル等平面台上にシールド２の幅に離して配置する。
【００１３】  補助棒８で２本のスタンド１とシールド２を固定する。
【００１４】  上記工程により携帯用飛沫防止パーテーションは設置される。使用後は補助棒８、シールド２を外し、伸縮棒３を縮め三脚４を束ねて収納する。
【符号の説明】
【００１５】１  パーテーション両端のスタンド部分
２  シールド部分
３  スタンド上部  金属等でできた伸縮棒
４  スタンド下部  樹脂又は金属等でできた三脚
５  袋の綴じ目
６  袋の開口部
７  袋の上部綴じ目
８  補助棒
９  ジョイントフック
【図１】
0003234083.tif 000003
【図２】
0003234083.tif 000004
【図３】
0003234083.tif 000005
【図４】
0003234083.tif 000006
(57)【要約】      （修正有）【課題】車のペダルのふみまちがいを防ぐために、右足で１つ、左足で１つのペダルをふむように改良するアクセルとブレーキを設けた車を提供する。【解決手段】右足３で１つのペダル２、左足４で１つのペダル１をふむようにアクセルとブレーキを設けた車であって、アクセルとブレーキは、左１のペダル、右２のペダルのどちらでもいい。【選択図】図２
0003234087.tif 000002
【実用新案登録請求の範囲】
【請求項１】
右足（３）で１つのペダル（２）、左足（４）で１つのペダル（１）をふむようにアクセルとブレーキを設けた車。
アクセルとブレーキは、左（１）のペダル、右（２）のペダルのどちらでもいい。
【考案の詳細な説明】
【技術分野】
【０００１】  この考案は、右足で１つのペダル、左足で１つのペダルをふむように改良する車のペダルに関するものである。
【背景技術】
【０００２】従来、右足だけでアクセルとブレーキをふんでいた。
【先行技術文献】
【特許文献】
【０００３】
【特許文献１】
【考案の概要】
【考案が解決しようとする課題】
【０００４】  これは次のような欠点があった。
（イ）ブレーキペダルにある足が滑ったり、ズレたりしてアクセルペダルをふむことがある。
（ロ）突然、人や自転車が現れて、あわてたり、混乱したり、パニックに陥ると冷静に判断できなくて、ふみまちがいが起こる。
本考案は、以上のような欠点をなくすためになされたものである。
【課題を解決するための手段】
【０００５】  右足で１つのペダル、左足で１つのペダルをふむように改良する。アクセルとブレーキは左右どちらでもいい。
本考案は、以上の構成よりなる車のペダルのふみまちがいを防ぐ改良。
【考案の効果】
【０００６】（イ）１つのペダルだけしかふまない。
（ロ）１つのペダルだけしかふまないようになるので、アクセルとブレーキをふむ動作が今より正確になる。
【図面の簡単な説明】
【０００７】
【図１】  従来の構成図
【図２】  本考案の構成図
【考案を実施するための形態】
【０００８】  以下、本考案を実施するための形態について説明する。
右足で１つのペダル、左足で１つのペダルをふむようにアクセルとブレーキを設ける。アクセルとブレーキは左右どちらでもよい。
【符号の説明】
【０００９】１  ペダル
２  ペダル
３  右  足
４  左  足
【図１】
0003234087.tif 000003
【図２】
0003234087.tif 000004
(57)【要約】      （修正有）【課題】水の注入で、重さを自在に調整できる中空構造の素振り野球バットを提供する。【解決手段】耐久性のプラスチック素材を利用して中が空洞の野球バット本体のグリップ側にネジ切ってキャップで閉めつける。また、スイングに大切な注意事項等の文面とスイングスタイルの画像や絵をバット本体に貼り付け、この画像絵を注視しながら身体能力を身に着ける。【選択図】図１
0003234082.tif 000002
【実用新案登録請求の範囲】
【請求項１】
中が空洞の野球バットに水等の注入口を設け、キャップや螺子等で漏れ防止構造にする。
ジュニアからアスリートに至るまで、バットが腕や手で上げられない事を体感するまで水を注入して、素振りを繰り返せばゴルフ上達する。
自在に適応した重量に、水の上下動の遠心力を活かしてボディーパワーを引き出して、左右の体重移動の手打ちスイングから、理想的な踵体重での一軸スイングのボディターンスイングに修正されます。
【請求項２】
請求項１の構造バットに、アドレスからフィニッシュに至るまで、ゴルフスイングに大切なスイング理論の指摘事項を、各部所に分けて、アドバイス文章の書き込み絵画を、販売促進を促すために美しく作り張り付ける。
常にこれら指導事項を意識して連続素振りを繰り返す事で、正しいゴルフスイングの習得が出来ます。
【考案の詳細な説明】
【技術分類】
【０００１】本考案は、中が空洞構造の野球バットに、水の注入口を設け、キャップや螺子等で漏れ防止の構造の野球バットにして、バットの中の注入物の上下動の遠心力を活かし、最もむつかしいスイングの修正と体力アップの向上に関するもの。
【背景技術】
【０００２】最も難しいゴルフスイングを、レッスンプロ達の指導要綱等を、アドレスからフィニッシュに至るまでの各部分の絵と文面をバットに貼り付け、それらの絵と文面を確認しながら練習が出来る。
【先行技術文献】
【特許文献】
【非特許文献１】モンスタースラッガー  ＭＳ−３５  内田販売システム  ８９キングダム
【考案の概要】
【考案が解決しようとする課題】
【０００５】練習やレスンプロの受講料が高く、経費を節約しながら上達を望む。
【課題を解決するための手段】
【０００６】本考案は、カラーバットの中の注入物の重さの遠心力を利用して、左一軸スイングが出来る様に問題点を解決する。
【考案の効果】
【０００７】上記の様に、自宅の部屋の中でも素振りが出来、常にプロからレッスンを受けて居る様な効果が得られる。
【図面の簡単な説明】
【０００８】
【図１】本考案の空洞構造バットに、水の注入口を開け、螺子で漏れ防止。
【図２】漏れをキャップでの漏れ防止構造。
【図３】バットにスイング理論の注意事項の絵を貼り付ける。
【考案を実施するための形態】
【０００９】市場で販売されて居るポリエステル製の野球カラーバットの形態を利用して、水の注入口を設けて漏れ防止構造にする。
【実施例】
【００１０】以下、添付図面に従って→実施例を説明する。１は耐久性のプラスチック素材を利用して→中が空洞の野球バット本体。２はグリップ側にネジ切って３のキャップで閉めつける。４は開閉自在とする。５はスイングに大切な注意事項等の文面とスイングスタイルの画像絵を貼り付ける。６はこの画像絵を注視しながら身体能力を身に着ける。【００１１】前記空洞構造のバットは、バット本体の重量は１５０グラムで、吸入口から水の注入で９００グラム位の重さまで自在に調整出来る。【００１２】本考案の→実施例は上記の如き構成であるから、プロのレッスンを受けずに上達できる。
【符号の説明】
【００１３】  １  空洞構造のカラーバット
２  キャップ又は螺子
３  スイングに大切な注意事項等の文面とスイングスタイルの画像絵
４  ほぼ無料の水
【図１】
0003234082.tif 000003
【図２】
0003234082.tif 000004
【図３】
0003234082.tif 000005
【手続補正書】
【提出日】令和3年6月10日(2021.6.10)
【手続補正１】
【補正対象書類名】実用新案登録請求の範囲
【補正対象項目名】全文
【補正方法】変更
【補正の内容】
【実用新案登録請求の範囲】
【請求項１】
中が空洞の野球バットであって、バット本体に、水の注入口と、水漏れ防止するキャップ又は螺子とかが設けられたことを特徴とする野球バット。
【請求項２】
前記バット本体に、スイング理論の指導事項、アドバイス文章の書き込み絵画、スイングに大切な注意事項、又は、スイングスタイルの画像絵が貼り付けられたことを特徴とする請求項１記載の野球バット。
(57)【要約】      （修正有）【課題】ローラー刷毛の外周部の構造物を無くするとともにローラー刷毛に確実に塗料を供給するローラー刷毛取付具とローラー刷毛を提供する。【解決手段】取付け具は、ローラー軸１、回転子ドラムＡ２、回転子ドラムＢ３、ドラム連接棒４、把手５、を含み、この内、回転子ドラムＡ２、回転子ドラムＢ３、及び、ドラム連接棒４は一体で回転子を構成しローラー軸１の周りを回転する。円筒状の形態を有するローラー刷毛６は取付け具の回転子に取り付けられ、両端で回転子ドラムＡ２、回転子ドラムＢ３に勘合する。送液チューブ９を通して送られた塗料は取付け具のローラー軸１の管内を通して吐出口８から吐出される。塗料はローラー刷毛６の内空を満たすと貫通穴７を通してローラー刷毛６の表面に供給される。【選択図】図１
0003234057.tif 000002
【実用新案登録請求の範囲】
【請求項１】
送液管を内臓するローラー刷毛取付け具
【請求項２】
内側から外表面に通じる穴を有するローラー刷毛
【考案の詳細な説明】
【技術分野】
【０００１】  本考案は［受付番号］２２１００１７００８６、実用新案登録願［整理番号］２０２１０１［送液機付きローラー刷毛取付け具］に関するものである。
【背景技術】
【０００２】  出願中の考案ではローラー刷毛に塗料を供給するために刷毛の外周側に取り付けられた注液口からローラー刷毛の外周に塗料を吐出している。この場合、注液口の存在がローラー刷毛の動きの制約になったり、またローラー刷毛の保持角度によっては吐出された塗料が刷毛の外周から外れる場合がある。
【考案の開示】
【考案が解決しようとする課題】
【０００３】  ローラー刷毛の外周部の構造物の存在を無くするとともにローラー刷毛に確実に塗料を供給する。
【課題を解決するための手段】
【０００４】  ローラー刷毛取付け具のローラー軸を中空材で構成し送液管を兼ねることでローラー刷毛の内側から塗料を供給する。
【考案の効果】
【０００５】  ローラー刷毛の動きの自由度が高まりまた塗料の供給も安定した。
【考案を実施するための最良の形態】
【０００６】  ローラー刷毛取付け具のローラー軸を中空管を用いて構成し、勘合するローラー刷毛の内空に位置する管壁に適当数の吐出口を設ける。また、ローラー刷毛を構成する円筒には適当数の貫通穴を設ける。塗料容器から送液チューブを通して送られた塗料はローラー軸の内部を通ってローラー刷毛の内側から表面に供給される。
【実施例】
【０００７】  以下、添付図面に従って実施例を説明する。［図１］において１、２、３、４、５は取付け具を構成し、この内２、３、４は一体で回転子を構成しローラー軸１の周りを回転する。円筒状の形態を有するローラー刷毛７は取付け具の回転子に取り付けられ、両端で回転子ドラムＡ  ２、回転子ドラムＢ  ３に勘合する。送液チューブ９を通して送られた塗料は取付け具のローラー軸１の管内を通して吐出口８から吐出される。塗料はローラー刷毛６の内空を満たすと貫通穴７を通してローラー刷毛６の表面に供給される。【０００８】  ［図２］はローラー刷毛を用いて実際に塗装作業を行う際の機材の構成を示すものである。図中１はローラー刷毛、２は送液チューブ、３は背嚢型塗料容器、４はバルーン型空気ポンプである。作業者は塗料容器３を背負い空気ポンプ４をポンピングすると塗料容器３内に空気が送られる。塗料容器３は密閉されているため塗料は空気圧により送液チューブを通してローラー刷毛まで送られる。
【図面の簡単な説明】
【０００９】
【図１】ローラー刷毛取付け具にローラー刷毛を装着した状態の断面図
【図２】塗料容器からローラー刷毛までの使用状態の構成を示す図
【符号の説明】
【００１０】  ［図１］
１    ローラー軸
２    回転子ドラムＡ
３    回転子ドラムＢ
４    ドラム連接棒
５    把手
６    ローラー刷毛
７    貫通穴
８    吐出口
９    送液チューブ
［図２］
１    ローラー刷毛
２    送液チューブ
３    背嚢型塗料容器
４    バルーン型空気ポンプ
【図１】
0003234057.tif 000003
【図２】
0003234057.tif 000004
【手続補正書】
【提出日】令和3年6月11日(2021.6.11)
【手続補正１】
【補正対象書類名】実用新案登録請求の範囲
【補正対象項目名】全文
【補正方法】変更
【補正の内容】
【実用新案登録請求の範囲】
【請求項１】
ローラー軸が中空材で構成されるローラー刷毛取付け具であって、前記ローラー軸が送液管であることを特徴とするローラー刷毛取付け具。
【請求項２】
請求項１記載のローラー刷毛取付け具に取り付けられるローラー刷毛であって、内側から外表面に通じる穴を有することを特徴とするローラー刷毛。
(57)【要約】      （修正有）【課題】昼夜を問わずよく泣く産まれたばかりの乳幼児の世話をする人達の精神的な苦痛や寝不足などによるストレスを和らげる敷きマットを提供する。【解決手段】敷きマットにモーター２を設置して、モーター２の軸に偏芯ウェートを設け、振動や雑音を発生させる。【選択図】図１
0003234056.tif 000002
【実用新案登録請求の範囲】
【請求項１】
敷きマット１の内部に複数のケ―ス６を設けて、ケ―ス６の中にカバ―５があり、そのまた内部にモ―タ―２があって、モ―タ―２の軸３には偏芯ウェ―ト４がある。
カバ―５とモ―タ―２は過不足なく一体でありモ―タ―２の回転により偏芯ウェ―ト４はアンバランスになって、カバ―５はケ―ス６の内部で乱舞し、振動と雑音を発生させる敷きマット
【考案の詳細な説明】
【技術分野】
【０００１】  本考案は、敷きマットに振動を発生させる物である。
【背景技術】
【０００２】  従来の敷きマットは動作をしないのは一般的である。
【先行技術文献】
【考案文献】
【０００３】
【考案の概要】
【考案が解決しようとする課題】
【０００４】  産まれたばかりの乳幼児は昼夜を問わず泣いて世話をする人を困らせ、世話をしながらの生活からストレスが蓄積されて健康が害されている。
本考案は、乳幼児の「泣き」などの軽減を図り、世話をする人の負担を和らげるとしたものである。
【課題を解決するための手段】
【０００５】  本来の敷きマットは「敷く」のみであるが、本考案は敷きマットの内部に小さいモ―タ―を設けて振動させるものである。
【考案の効果】
【０００６】  胎児は、母親の生活動作や、心臓の鼓動、血流、肺の呼吸音等の様々な振動と雑音の刺激を常に受け続けながら生育するが、産まれると同時にその刺激が無くなり環響が大きく変化し馴れない環境に馴染めず泣いてしまう。
本考案は、体内で受け感じ続けた心地よい振動や雑音に似せた刺激を敷きマットに発生させて寝ている乳幼児に安心を感じさせてあげる効果がある。
【図面の簡単な説明】
【０００７】
【図１】  平面図
【図２】  Ａ―Ａ断面図
【図３】  モ―タ―とケ―ス及びカバ―並びに電池の平面図
【図４】  モ―タ―とケ―ス及びカバ―のＢ―Ｂ正面図  Ａ―Ａ断面図は図の一部を省略し、詳細は図３、図４に示す。図３、図４はモ―タ―とケ―ス及びカバ―の拡大図。（モ―タ―２の周辺図はすべて同じなので一個を表示した）図１の点線表示は内部に隠れているモ―タ―周辺部を示す。
【考案を実施する為の形態】
【０００８】  本考案を実施する為の形態について説明する。
図１において、敷きマット１の内部の都合の良い位置に複数のケ―ス６を設けてケ―ス６の天井部は無とし、その中には、カバ―５があり、そのまた内部にはモ―タ―２があって、モ―タ―２の軸３には偏芯ウェ―ト４がある。
又、カバ―５には過不足なくモ―タ―２を収納し、回転する偏芯ウェ―ト４の部分は回転に支障のない大きさとし、カバ―５とケ―ス６との間には隙間があり、モ―タ―２はカバ―５と一体でケ―ス６の中に置いた状態でそれぞれ個々に作動し自由である。
モ―タ―２を回転させると偏芯ウェ―ト４はアンバランスに回転し、モ―タ―２を過不足なく一体に収納したカバ―５がケ―ス６との隙間の間で振動や雑音を発生さその振動や雑音はカバ―５やケ―ス６から敷きマット１に伝わり寝ている乳幼児に伝わって母親の体内で受け続けた心地良い振動や雑音に似せた刺激を感じさせてあげる事ができる。又、モ―タ―２は電池９で作動しカバ―５に収納して操作は、リモ―トコントロ―ルとする。
【符号の説明】
【０００９】１  ―  敷きマット本体            ２  ―  モ―タ―
３  ―  軸                        ４  ―  偏芯ウェ―ト
５  ―  カバ―                    ６  ―  ケ―ス
７  ―  隙間                      ８  ―  回転スペ―ス
９  ―  電池
【図１】
0003234056.tif 000003
【図２】
0003234056.tif 000004
【図３】
0003234056.tif 000005
【図４】
0003234056.tif 000006
【手続補正書】
【提出日】令和3年6月10日(2021.6.10)
【手続補正１】
【補正対象書類名】実用新案登録請求の範囲
【補正対象項目名】全文
【補正方法】変更
【補正の内容】
【実用新案登録請求の範囲】
【請求項１】
敷きマット１の内部に複数のケ―ス６を設け、その中にカバ―５があり、そのまた内部にモ―タ―２があって、モ―タ―２の軸３には偏芯ウェ―ト４を設け、モ―タ―２とカバ―５は過不足なく一体で、モ―タ―２の回転で偏芯ウェ―ト４はアンバランスになり、カバ―５はケ―ス６の内部で乱舞し振動と雑音を発生させる敷きマット。
(57)【要約】      （修正有）【課題】容易に安く早く大量に提供することで新型コロナウィルス等の感染症防止につなげる、傘の構造を利用した携帯型パーティションを提供する。【解決手段】本考案は、傘の構造である石突き８と中棒（シャフト）６、上ろくろ２と下ろくろ３、それにつながる親骨４と受け骨５で仕切りとなる生地７を支える携帯型パーティション１０（１０ａ）を提供する。本考案の製造にビニール傘の製造ラインを使用することで、携帯型パーティションを短期間に安価に多量に提供でき、飛沫による感染症防止に役立つ。【選択図】図１
0003234055.tif 000002
【実用新案登録請求の範囲】
【請求項１】
石突きと、
前記石突きに接続された棒状の中棒（シャフト）と、
前記中棒（シャフト）と前記石突き間の設置された上ろくろと、
前記上ろくろに放射状に接続された複数の親骨と、
前記中棒（シャフト）の上ろくろと反対側に設置された下ろくろと、
前記下ろくろに一端が可動可能に接続され、他端が前記親骨と可動可能に接続された
複数の受け骨と、
前記親骨の中棒（シャフト）の反対端と前記石突きと中棒（シャフト）間を通って張られた生地と
を含むことを特徴とする携帯型パーティション。
【考案の詳細な説明】
【技術分野】
【０００１】  本考案は、傘の構造を利用した携帯可能なテーブル用パーティションに関するものである。
【背景技術】
【０００２】  一般的なテーブル用パーティションは、仕切り板（パネル）とそれを支える台座（スタンド）からなり、重く嵩張るため、携帯は困難であり、保管場所の確保と運搬、組立、解体の負担が発生している。
【考案の概要】
【考案が解決しようとする課題】
【０００３】  新型コロナウィルス等の感染症対策の飛沫防止にテーブル用パーティションが有効とされているが、従来型製品は、仕切り板や台座が大きく、嵩張り、持ち運びにくいため、自分用のパーティションとして携帯することは困難ある。このため、他者との会話や会食に際して、度々、パーティションの無い状態が生じ、飛沫による感染症への感染リスクが高まるという課題がある。
【課題を解決するための手段】
【０００４】  本考案は、傘を構成する部品のうち、一部の親骨とその受け骨、その骨を覆う生地を撤去することで製作できる携帯型パーティションを提供し、会話や会食の際にパーティションの無い状態を無くし、課題を解決しようとするものである。携帯型パーティションは、石突きと中棒（シャフト）、上下のろくろと残りの親骨と受け骨、生地という傘の構造を利用してパーティションを実現する。傘の構造を利用するので、折り畳むことができ、携帯しての持ち運びを可能とし、必要な際には開いてパーティションとして機能させることができる。
【考案の効果】
【０００５】  傘の構造を利用するため、容易に安く大量に提供可能な携帯型パーティションになることから、飛沫による新型コロナウィルス等の感染症拡大防止に役立てることができる。
【図面の簡単な説明】
【０００６】
【図１】本考案の傘の構造を利用した携帯型パーティションを開いた状態を示す。
【図２】本考案の傘の構造を利用した携帯型パーティションを閉じた状態を示す。
【図３】傘から携帯型パーティションを製作する際の撤去部分を示す。
【考案を実施するための形態】
【０００７】  本考案は、傘を広げた状態で中棒（シャフト）をテーブル面に寝かせるように置き、テーブル端にてテーブル面より下にある数本の親骨と受け骨を上下のろくろより外すまたは切断により撤去し、また、撤去した親骨を覆っていた部分の生地を削除することで、傘の構造による仕切り板と台座の一体化を図り、携帯できる自分用パーティションを実現する。中棒（シャフト）は、必要な長さで切断し、パーティションとした際に邪魔にならないようにする。
【実施例】
【０００８】以下、添付図面に従って一実施例を説明する。１は一般的な傘であり、２〜８は、傘と携帯型パーティションを構成する部品である。９は傘からパーティション化への撤去部分であり、数本の親骨と受け骨を上下のろくろより撤去し撤去した親骨を覆っていた部分の生地を削除する。１０は９の実施によりできた携帯型パーティションである。６の中棒（シャフト）は、パーティションとして使用する際は長いと邪魔になるため、必要な長さで切断する。
【符号の説明】
【０００９】  １  傘
２  上ろくろ
３  下ろくろ
４  親骨
５  受け骨
６  中棒（シャフト）
７  生地
８  石突き
９  パーティション化への撤去部分
１０  携帯型パーティション
１０ａ  携帯型パーティションの断面
【図１】
0003234055.tif 000003
【図２】
0003234055.tif 000004
【図３】
0003234055.tif 000005
(57)【要約】      （修正有）【課題】アルコール依存症の治療と再発予防のための、薬剤の副作用を利用した製品である断酒ざけアルコマイルドを提供する。【解決手段】断酒ざけアルコマイルドは、副作用として頭痛・吐き気及びこの両方を共に発現する３種類の医薬品を、添加剤として個別に入れたお酒で、容器は縦長で１８０ｃｃ程度の容量を基本としたボトルとし、中ほどの胴径２を小さくし真上に注ぎ口を設け、密着性を高めたキャップ１を備え且つ、製造においては医師又は薬剤師の方の指導を受け、販売においては国の認可を受けることを特徴とする。【選択図】図１
0003234080.tif 000002
【実用新案登録請求の範囲】
【請求項１】
断酒ざけ：アルコマイルドは、副作用として頭痛・吐き気及びこの両方を共に発現する３種類の医薬品を、添加剤として個別に入れたお酒で、容器としての強度及び注ぎ口とキャップの密着強度も高め、且つ製造においては医師又は薬剤師の方の指導を受け、販売においては国の認可を受けることを特徴とする、断酒ざけ：アルコマイルド。
【考案の詳細な説明】
【技術分野】
【０００１】アルコール依存症、この病的中毒の専門治療と再発予防に欠く事の出来ない、新な装備品であるお酒に関するものであります。
【背景技術】
【０００２】アルコール依存症の治療と再発予防において、体内からアルコールを排除する解毒治療、離脱後の個別の精神療法、さらに回復への実践として、断酒会など自助集団への参加、長期間の通院の継続を通し再発を防ぐ状況である。
【先行技術文献】
【特許文献】
【０００３】
【非特許文献】
【０００４】
【考案の概要】
【考案が解決しようとする課題】
【０００５】アル中の人は、飲み過ぎを認めたがらない、この点が問題である。
本人より周囲の人が先に飲み過ぎに気付く、二日酔いで欠勤、酒の匂いをさせながらの出勤や行動が度重なる、ひどくなると酒乱として手が付けられない、こういったアルコール依存症を無くそうとするものであります。
【課題を解決するための手段】
【０００６】本考案は、酒瓶として一合瓶（１８０ｃｃ）を基本とし、添加材としてＡ・Ｂ・Ｃの３種類の薬剤を個別に入れた三種類のお酒として提供するものであります。（好みに応じ選択）
0003234080.tif 000003
【考案の効果】
【０００７】アルコマイルド（Ａ・Ｂ・Ｃ）は、アル中の人、移行途中の人、その前の段階の人、このお酒の好きな人達は皆心情的な断酒が感情的な欲求に押し切られ、みじめな敗北感を味わう日々と思います。
このお酒は、カバンに机に日々忍ばせておく事によりいつでも飲める状態にすることで、イライラ感がなくなり精神的に安定させる、アルコマイルドは通常の日本酒であり口当たりは変えず、満足出来ものとし、半分の９０ｃｃくらいから添加材の効果を感じ始め最後まで飲みきれない状況になるよう添加剤の割合を特定する、
又、これは医師あるいは薬剤師の方の指導を受けるとともに、販売においては国の認可を受ける。
これにより、欲求にかられ飲めば飲むほど混入した添加材の副作用により体の拒絶反応が強くなり、最終的にアルコール依存症から救われる結果となる。（体の条件反射の利用）
【図面の簡単な説明】
【０００８】
【図１】  断酒ざけ：アルコマイルドの外観図
【考案を実施するための形態】
【０００９】断酒ざけ：アルコマイルドの外観図［図１］に示しますように、容量１合（１８０ｃｃ）の酒瓶又はペットボトルを基本とし、中ほどの胴径を小さくすることにより持ちやすくし、真上に注ぎ口を設置する。
【実施例】
【００１０】ボトルの材質として従来よりのガラス瓶は内容物の酸化による変化が少なく良いが、重く割れやすい欠点がある、その点ペットボトルは軽く割れにくいが酸化による変化を受けやすい、カバンに入れ持ち歩く点、ペットボトルが良いとおもわれるが温度変化による液漏れを防ぐためキャップの密着性を強くする。
【符号の説明】
【００１１】  １  キャップ
２  胴径が小さい部分
３  ボトルの底
【図１】
0003234080.tif 000004
【手続補正書】
【提出日】令和3年5月21日(2021.5.21)
【手続補正１】
【補正対象書類名】実用新案登録請求の範囲
【補正対象項目名】全文
【補正方法】変更
【補正の内容】
【実用新案登録請求の範囲】
【請求項１】
断酒ざけアルコマイルドは、副作用として頭痛・吐き気及びこの両方を共に発現する３種類の医薬品を、添加剤として個別に入れたお酒で、容器は縦長で１８０ｃｃ程度の容量を基本としたボトルとし、中ほどの胴径を小さくし真上に注ぎ口を設け、密着性を高めたキャップを備え且つ、製造においては医師又は薬剤師の方の指導を受け、販売においては国の認可を受けることを特徴とする、断酒ざけアルコマイルド。
(57)【要約】      （修正有）【課題】マスクと鼻横の頬との間の隙間を塞ぐために、マスクに設けられたワイヤーを鼻や頬の形状に合わせても、マスクを装着すると耳に掛けた紐に引っ張られてワイヤーが伸び鼻横の頬との間に隙間が出来るが、その隙間を塞ぐマスク構造を提供する。【解決手段】マスクにおいて、別途マスクの外側から見て内側に隠れる大きさで、中央上部に鼻の膨らみ部分だけを水平方向に覆う長さの内布ワイヤー４を設けた内布３を用意し、その内布の中央上部に設けたワイヤーの中央下部をマスク布の内側中央上部にスポット接着することを特徴とするマスク構造。【選択図】図２
0003234115.tif 000002
【実用新案登録請求の範囲】
【請求項１】
口や鼻を覆うマスクにおいて、別途マスクの外側から見て内側に隠れる大きさで、中央上部に鼻の膨らみ部分だけを水平方向に覆う長さのワイヤーを設けた内布を用意し、その内布の中央上部に設けたワイヤーの中央下部をマスクの内側中央上部にスポット接着することを特徴とするマスク構造。
【考案の詳細な説明】
【技術分野】
【０００１】  本考案は、マスクの隙間を塞ぐ構造に関する。
【背景技術】
【０００２】  マスクと鼻横部の頬との隙間を塞ぐため、マスク上部にワイヤーを設けたものがある。
【考案の概要】
【考案が解決しようとする課題】
【０００３】  マスクに設けられたワイヤーを鼻や頬の形状に合わせても、耳に掛けた紐に引っ張られワイヤーが伸びマスクと鼻横の頬の間に隙間が出来るが、それを塞ぐマスクを提供する。
【課題を解決するための手段】
【０００４】  マスクとは別にマスクの内側に隠れる大きさで、中央上部に鼻の膨らみ部分だけを水平方向に覆う長さのワイヤーを設けた内布を用意し、その内布の中央上部に設けたワイヤーの中央下部をマスク内側中央上部にスポット接着することで隙間を塞ぎ課題を解決する。
【考案の効果】
【０００５】  マスクを装着すると、マスクのワイヤーは耳に掛けた紐に引っ張られて伸び、マスクと鼻横の頬の間に隙間が出来るが、マスクの内側にスポット接着された内布上部の、鼻の部分だけ覆ったワイヤーは引っ張られることが無く、隙間の出来ないマスクを提供できる。
【図面の簡単な説明】
【０００６】
【図１】は、マスクを装着した状態のマスクワイヤー鼻頬部断面図
【図２】は、マスクを装着した状態のマスク及び内布のワイヤー鼻頬部合成断面図
【図３】は、マスクの内側に内布をスポット接着した状態のマスク内面図
【符号の説明】
【０００７】    １マスク布
２マスクワイヤー
３内布
４内布ワイヤー
５内布接着部
６隙間
７塞がれた隙間
【図１】
0003234115.tif 000003
【図２】
0003234115.tif 000004
【図３】
0003234115.tif 000005
(57)【要約】      （修正有）【課題】シューレースを結ぶことを不要にして、シューレースが緩まず容易に結束と解放ができる靴紐結束具を提供する。【解決手段】シューレースを結ぶ必要性を排除すべく、シューレースに装着して結束でき着脱を可能とした靴紐結束具１であって、靴紐集結板６にシューレースを挿通させる靴紐通し孔部３を適宜位置に備え、加えて余剰紐の先端を係止すべく爪４を設け、前記靴紐集結板に上下開閉自在にするヒンジ５で連結させたバックル２に略Ｊ状の係合部７を形成した該バックルと前記靴紐集結板に凸状に設けた被係合部８が閉じたときに嵌合する構成にしたことを特徴とする靴紐結束具を提供する。【選択図】図２
0003234117.tif 000002
【実用新案登録請求の範囲】
【請求項１】
紐靴に装着し終えたシューレースを結ぶ必要がなく容易にまとめて結束して、尚且つ緩まない靴紐結束具であって、靴紐集結板に靴紐通し孔部を適宜位置に備え、加えて余剰紐の先端を係止すべく爪を設け、靴紐集結板に上下開閉自在のヒンジで連結させたバックルに略Ｊ状の係合部を形成させた該バックルと靴紐集結板に設けた凸状の被係合部が閉じたときに嵌合されることを特徴とする靴紐結束具。
【考案の詳細な説明】
【技術分野】
【０００１】  本考案は、シューレースを結ぶ不便さを解消するため、シューレースを結ぶことを不要にして、シューレースが緩まず容易に結束と解放ができるようにした靴紐結束具に関する。
【背景技術】
【０００２】  靴の多くは紐靴で、足甲部左右両側に靴先から履き口に向かう方向に沿って並設されたハトメ穴へ交互にシューレースを通し終えたら、該シューレースの余剰紐を締めて一般的な方法で蝶結びをする必要があり、シューレースを結ぶプロセスに手間取り、シューレースを結んでも不均衡な仕上がりになることが多いうえ、歩行や競技による振動や衝撃によって結び目の緩みが生じ、緩みが進行して解けた靴紐に躓いたりして危険である。【０００３】  紐靴に替わる面ファスナーで着脱する靴のタイプもあるが、足へのホールド性が低いうえに、意匠面で見栄えが劣る。【０００４】  このような問題を解決するために、様々なシューレースが緩まない固定具が提案されていて、特許文献１には、靴紐の先端同士を結ばずに面ファスナーで挟んで着脱することで固定と解放することができる靴ひも固定具が提案されている。【０００５】  しかしながら、シューレースに密着させる面ファスナーの表面積が広く、他方、靴ひも固定具の支えの部分が貧弱なため剥がすのが困難となるうえに、面ファスナーのフック部とループ部の着脱によって間に挟まれたシューレースが損傷するばかりか面ファスナーに損傷したシューレースの繊維が付着して張付き力が劣化する。【０００６】  特許文献２には、弾性靴ひもの端を留め具の開口部に通し留め具のスプリングによってその弾性靴ひもを挟み、結ばずに固定するシステムの靴ひも留め具が提案されている。【０００７】  伸縮性のある弾性靴ひもで適度に足にフィットし柔軟性があり普段履きには良好だが、弾性靴ひもの締め付けに強く張力を加えると留め具のスプリングの反発力では十分に留めるには及ばず弾性靴ひもが滑り緩む。故に運動量が大きくなると留め具に通している靴紐に緩みが生じて靴内の足のホールド性に欠ける。【０００８】
【先行技術文献】
【特許文献】
【０００９】
【特許文献１】特開２０２０−９６８８０号広報
【００１０】
【特許文献２】米国特許第６０２６５４８号広報
【考案の概要】
【考案が解決しようとする課題】
【００１１】  本考案は、上述した技術上の諸問題に鑑み、これを解決するために考案したものであり、シューレースの多様な材質に対しても緩みや解けを防ぎ、靴内の足のホールド性を維持させ、容易に結束と解放ができるようにした靴紐結束具を安価に提供することを課題とする。【００１２】
【課題を解決するための手段】
【００１３】  本考案は、紐靴に装着し終えたシューレースを結ぶ必要がなく容易にまとめて結束して、尚且つ緩まない靴紐結束具であって、靴紐集結板に靴紐通し孔部を適宜位置に備えて、加えて余剰紐の先端を係止すべく爪を設け、靴紐集結板に上下開閉自在のヒンジで連結させたバックルに略Ｊ状の係合部を形成させた該バックルと靴紐集結板に設けた凸状の被係合部が閉じたときに嵌合されることを特徴とする靴紐結束具である。
【考案の効果】
【００１４】  本考案の靴紐結束具は、紐靴に固定させず独立しているため別の紐靴に用いることができ、容易に結束と解放ができる。【００１５】  本考案の靴紐結束具は、その構造が簡単であり、加工しやすく安価に提供できる。【００１６】  靴紐集結板に連結させたバックルの表面に、チームのロゴマークなどのデザインを入れたり、使用者の好みでステッカーやチャームなどを貼りつけることも可能である。
【図面の簡単な説明】
【００１７】
【図１】本考案の靴紐結束具の平面図
【図２】本考案の靴紐結束具の斜視図
【図３】Ａ・Ｂ・Ｃは本考案の靴紐結束具をシューレースに装着の完結までのプロセスを順次に示す斜視図である。
【考案を実施するための形態】
【実施例】
【００１８】  以下、添付図面に基づいて、本考案に係る靴紐結束具の実施形態について説明するが、本考案は下記実施形態に限定されるものではなく、本考案の趣旨を逸脱しない範囲で種々変形実施可能である。【００１９】  紐靴Ｓのハトメ穴Ｑに通し終えた両側からのシューレースＬを結ぶことなく、図３Ａに示すように、本考案の靴紐結束具１の靴紐集結板６の靴紐通し孔部３にシューレースＬを挿通し、使用者の思う締まり具合に調節したところで図３Ｂに示す前記靴紐集結板６に余剰紐Ｒを巻きつけることで該余剰紐Ｒにかかる張力とエッジの効果で固定して、加えて前記靴紐集結板６に設けた爪４に余剰紐Ｒの先端を係止させ、バックル２に略Ｊ状の係合部７を形成した該バックル２を上下開閉自在のヒンジ５で連結させた前記靴紐集結板６に設けた凸状の被係合部８に閉じたときに嵌合し、図３Ｃで示す本考案の靴紐結束具１の装着が完了となり、シューレースＬを結束して緩みを防ぐことができる。【００２０】  余剰紐Ｒを集結した部分の目隠しとなり見栄えを良くし、容易にシューレースＬが緩まないように結束と解放ができることを特徴とする靴紐結束具１。【００２１】  靴紐結束具１は、余剰紐Ｒの巻きつけなどの圧力下で変形しない高負荷に耐えられつつ軽量なアルミニウムまたはプラスチックのような硬質の材料で構成され、好適にはプラスチックで構成され安価に製造が可能である。
【産業上の利用可能性】
【００２２】  本考案の靴紐結束具を利用してシューレースを結ばずに簡単なプロセスにより、スピーディー、スマートに容易にシューレースの緩みを防ぎ結束と解放が紐靴に利用でき、特にスポーツ競技用や作業靴などの紐靴に適合する。
【符号の説明】
【００２３】１  靴紐結束具
２  バックル
３  靴紐通し孔部
４  爪
５  ヒンジ
６  靴紐集結板
７  係合部
８  被係合部
Ｓ  靴
Ｌ  シューレース
Ｒ  余剰紐
Ｑ  ハトメ穴
【図１】
0003234117.tif 000003
【図２】
0003234117.tif 000004
【図３Ａ】
0003234117.tif 000005
【図３Ｂ】
0003234117.tif 000006
【図３Ｃ】
0003234117.tif 000007
(57)【要約】      （修正有）【課題】胸に付けるワッペンを名札と一体化して使用し、名札とワッペンを別々に付けるわずらわしさを解消する、名札の傾き防止プレートを提供する。【解決手段】クリップ付き名札１の裏面にクリップ２を避けるＵ字型形状で胸のポケットに入る大きさのプレート３を貼り、プレートを胸のポケットに入れ名札のクリップでポケット上部を挟み名札を安定化させ使用する。また、ポケットに入れるプレートはポケットの外（前）に出してクリップで止めての使用も可能であり、外に出したプレートに告知案内のシールを貼ることで告知用ワッペンとして使用ができる。【選択図】図１
0003234119.tif 000002
【実用新案登録請求の範囲】
【請求項１】
クリップ付き名札（１）の裏面に貼り付けて胸ポケットに収納可能な形状で、名札のクリップ（２）で名札（１）を胸ポケットに留めることができるＵ字型形状を特徴とする告知用ワッペンとして使用できる名札の傾き防止プレート。
【請求項２】
プレート（３）を胸ポケットの外に出した際に名札のクリップ（２）で名札（１）を胸ポケットに留めることのできるＵ字型形状を特徴とする請求項１の告知用ワッペンとして使用できる名札の傾き防止プレート。
【考案の詳細な説明】
【技術分野】
【０００１】  本考案は、胸に付ける名札の裏面に接着して名札と一体に使用する名札の傾き防止プレートに関するものである。
【背景技術】
【０００２】  胸に付ける名札は裏面のクリップで胸ポケットに付けると名札自体の量みで胸ポケットの上部端がよじれてで名札が前に傾いていた。【０００３】  販売キャンペーンなどにキャンペーン告知目的でワッペンや胸章を作成して胸に安全ピンやクリップで装着していた。
【考案の概要】
【考案が解決しようとする課題】
【０００４】  本考案は、胸に付ける名札を付けた時に起きる名札の傾き、前垂れを防止する目的とする。【０００５】  本考案は、胸に付けるワッペンを名札と一体化して使用し、名札とワッペンを別々に付けるわづらわしさを解消する目的とする。
【課題を解決するための手段】
【０００６】  本考案は胸に付ける名札の裏面に接着して下部のプレートを胸ポケットに差し込む。【０００７】  本考案は胸に付ける名札の裏面に接着して下部のプレートを胸ポケットの外（前）に出して正面から見えるように装着する。
【考案の効果】
【０００８】  本考案は名札裏面に接着することで名札と一体化させ、プレート部を胸ポケットに差し込んでも、またポケットの前に出した状態でもプレートが胸に当たり名札の向きを安定化させ、傾きを防止することができる。プレート部に印刷したシールを貼りポケットの外（前）に出して装着することで印刷内容を見せ告知ツールとして使用することができる。
【図面の簡単な説明】
【０００９】
【図１】本考案を装着した名札の裏面図である。
【図２】本考案を装着した名札の側面図である。
【図３】本考案を装着した名札の斜視図である。
【図４】本考案を装着した名札のプレート部を胸ポケットに差し込んだ斜視図である。
【図５】本考案を装着した名札のプレート部を胸ポケットに差し込んだ胸ポケット内の側面図である。
【図６】本考案を装着した名札のプレート部を胸ポケットの外に出した斜視図である。
【図７】本考案を装着した名札のプレート部を胸ポケットの外に出した胸ポケット内の側面図である。
【符号の説明】
【００１０】１  名札
２  名札のクリップ
３  本体（Ｕ字型形状プレート）
４  胸ポケット
５  胸ポケットの断面
６  シール
【図１】
0003234119.tif 000003
【図２】
0003234119.tif 000004
【図３】
0003234119.tif 000005
【図４】
0003234119.tif 000006
【図５】
0003234119.tif 000007
【図６】
0003234119.tif 000008
【図７】
0003234119.tif 000009
(57)【要約】      （修正有）【課題】着脱が容易であり、通気性があり、安全に使用可能なゼッケンを提供する。【解決手段】ゼッケンは、被着体との接着面に感圧粘着剤１層を有する。【選択図】図１
0003234118.tif 000002
【実用新案登録請求の範囲】
【請求項１】
被着体との接着面に感圧粘着剤層を有するゼッケン。
【請求項２】
前期感圧粘着剤層が、粘着剤を内包したマイクロカプセルを有する層である請求項１に記載のゼッケン。
【考案の詳細な説明】
【技術分野】
【０００１】  本考案は、容易に着脱可能なゼッケンに関し、より詳細には、被着体との接着面に感圧粘着剤層を有するゼッケンに関する。【０００２】  現在、スポーツ競技大会（マラソン、陸上、球技）、イベント（各種選手権、ダンス大会、ロボット競技会等）は競技毎にゼッケンをウェアーに装着している。
そして当該ゼッケンは、ホック、安全ピン、紐等の固定具を利用してウェアーに固定されるのが一般的である。
しかし、例えば安全ピンを用いる場合には、安全ピンの針先で指をさしたりする等、安全面に問題がある。また、今後障害者スポーツやイベントで、視覚障害や、指や手に障害を持っている人たちもゼッケンを使用する機会が増えることが予想される。こうした障害者の人たちにとって、安全ピンでの作業にはかなりの困難と危険を伴う。
更には、競技後の疲労時にゼッケンから安全ピンを外す作業はかなり億劫であり、ゼッケンを付けたまま持ち帰り、洗濯の際にウェアーからゼッケンを外すという不快さを伴う面倒な作業が必要になる。また汗が付着したウェアーにゼッケンを装着したままでいると、安全ピンが錆びて、その錆がウェアーを汚してしまう問題もある。
また、当該ゼッケンの材質は紙、綿、綿とポリエステルの混紡、発泡ポリプロピレン、ポリエステルフィルム、不織布等を使用することが多く、通気性も悪いことから装着する箇所（胸部、背中等）を覆うと、競技中にかいた汗が逃げにくく、体温が籠ってしまう危険性、不快性がある。【０００３】  例えば特許文献１には、剥離ライナーを備えた粘着剤層を有するゼッケンが開示されている。しかし、使用前に剥離ライナーを粘着剤層から剥がすという作業が必要であり、やはり障害者スポーツやイベントにおいては負担になることが考えられる。また、剥離ライナーがごみとなり大きな大会ではこのごみの処理負担が増える。【０００４】
【先行技術文献】
【特許文献】
【０００５】
【特許文献１】実用新案登録第３２０２７５２号
【考案の概要】
【考案が解決しようとする課題】
【０００６】  本願考案は、着脱が容易で、通気性もあり、上記の様な安全性や不快さといった問題を解決するものである。
【課題を解決するための手段】
【０００７】  本考案者は、上記課題を解決する為には以下構成が最適であることに想到し、考案を完成させたものである。  即ち、本考案は、以下１）〜５）に関するものである。
（１）粘着剤が壁膜によって内包されているマイクロカプセルの感圧接着剤を、ゼッケンの裏面に塗布したものである。
（２）感圧接着剤は、ゼッケンの表面から指や手のひらで擦ると、マイクロカプセルの壁膜が破れて接着剤が出て来る。
（３）感圧接着剤の塗布厚みは、乾燥後、１平方メートルあたり１ミクロンメートル以上が、好ましくは５ミクロンメーターから１０ミクロンメーターである。
（４）感圧接着剤はマイクロカプセルの壁膜を破るまでは、粘着性を全く有していない。
（５）ゼッケンに穴が開いていて、その穴は１平方センチあたりに５個以上ある。
【考案の効果】
【０００８】  本考案のゼッケンは着脱が容易で、通気性もあり、特に夏場などの気温が高い時期の大会や、障碍者スポーツにおいても安全に使用可能なものである。
【図面の簡単な説明】
【０００９】
【図１】本考案のゼッケンの一実施態様の表面を表した図である。
【図２】本考案のゼッケンの一実施態様の裏面を表した図である。
【図３】本考案のゼッケンの一実施態様の側面を表した図である。
【考案を実施するための形態】
【００１０】  本考案のゼッケンは、被着体との接着剤面において感圧粘着剤層を有する。感圧粘着剤層の配置の方法に特に制限はなく、全面であっても周囲４辺であっても、２辺であっても、上部１辺であっても良いが、着脱容易性及び使用中の剥離を防止する為、周囲４辺である場合が好ましい。
さらに、本考案のゼッケンには細かく穴を開けている。穴の数は、平方センチ当たり５個以上が好ましい。必要がなければ穴が開いていないゼッケンを使用することが出来る。
【００１１】  感圧粘着剤層は、粘着剤を内包したマイクロカプセル層である場合が好ましい。
ここで粘着剤としては、天然ゴム、ブタジエン−スチレンゴム、アクリルゴム等のゴム系粘着剤や、スチレンーアクリレート共重合物、アクリル共重合物、アクリレートオリゴマー又はメタクリレートオリゴマー（骨格中にポリイソプレン、ポリブタジエン、ポリウレタンを有する場合が好ましい）のような光硬化性粘着剤や自己架橋型のエマルジョンが好適に用いられる。
またマイクロカプセル層としては、架橋ゼラチン、アルギン酸塩、セルロース類、ポリウレア樹脂、ポリウレタン樹脂、メラミン樹脂、ナイロン樹脂等を挙げることができる。
なお、上記粘着剤をマイクロカプセルに内包させる方法としては、各種周知の方法を用いることができるが、例えば「マイクロカプセル」（三共出版  １９７７年発行  近藤保ら著）を参考に製造することができる。
【産業上の利用可能性】
【００１２】  本考案のゼッケンは、被着体への着脱が容易であり、ゼッケンの着用が必要な各種競技大会への幅広い普及が想定される。【００１３】  符号の説明
１：感圧粘着剤
感圧接着剤とは、圧力をかける前は非接着性だが、圧力を加えることで接着性が出る接着剤のことをいう・
２：感圧粘着剤（マイクロカプセル）
非接着性の壁膜に接着剤を包み込んだマイクロカプセルで、圧力をかける前は非接着性であるが、圧力をかけるとマイクロカプセルの壁膜が破れ、接着性を有する接着剤のことをいう。
【図１】
0003234118.tif 000003
【図２】
0003234118.tif 000004
【図３】
0003234118.tif 000005
(57)【要約】      （修正有）【課題】サンドイッチを簡単に作れ、具材、液体調味料のボタ落ちを気にすることなく食することができるパンを提供する。【解決手段】有底筒袋状に成型され開口部１１と底部１２と内部の空洞に具材を収める収容部１３とを有するパン１０であって、パンを焼き、収容部に具材１５〜１７、液体調味料１４を入れることによりサンドイッチを簡単に作れる。【選択図】図４
0003234109.tif 000002
【実用新案登録請求の範囲】
【請求項１】
有底筒袋状に成型され、開口部と底部と内部の空洞に具材を収める収容部とを有するパン。
【請求項２】
前記開口部の最大幅が、前記収容部の最大深さよりも小さい、請求項１に記載のパン。
【考案の詳細な説明】
【技術分野】
【０００１】この考案は、ファーストフード店、コンビニエンスストア、パン専門店などにおいて提供、販売されるパンに関するものである。
【背景技術】
【０００２】従来のパンは、パン生地を丸形、角形、平形、いろいろな形を焼いて製造している。また、従来のパンは、焼く、バター、ジャムをぬる、ハム、チーズ、野菜を乗せる、挟む、包むといった食べ方が、一般的である。
【先行技術文献】
【特許文献】
【０００３】
【特許文献１】実用新案登録第３０９４０３６
【考案の概要】
【考案が解決しようとする課題】
【０００４】パンと具材、液体調味料を同時に食べる時、従来の食べ方では具材、液体調味料が溢れたり、垂れたりするので、不便であった。またソーセージやきゅうり、セロリなど棒状の具材をパンに包む際に、従来のパンでは切れ目などに具材を挟むと、食べるときに具材がはみ出す不便さがあった。
【課題を解決するための手段】
【０００５】そこで有底筒袋状に成型され、開口部と底部と内部の空洞に具材をおさめる収納部とを有するパンを考案した。
【考案の効果】
【０００６】この考案のパンは、具材・液体調味料を入れ食べるときに、具材、液体調味料が食べるときに、溢れたり、垂れたり、はみだしたりしない。
【図面の簡単な説明】
【０００７】
【図１】本考案のパン生地斜視図である。
【図２】図１のＸーＸ線断面図である。
【図３】本考案上部に開口を有するパンの実施例を示す斜視図である。
【図４】記図３のＹーＹ線断面図である。
【考案を実施するための形態】
【０００８】小麦粉と水、イースト菌をまぜ練ってパン生地を作り上部が開口を有し底を袋形に作成しパン焼き機でパンを作成する。
【実施例】
【０００９】パン生地１１開口部は上下方向の長さが、水平方向の長さよりも長く、窪みは、５ｃｍ以上に仕上げる。【００１０】なお、パン１０は、パン１１を有する任意の開口部に具材として、ソーセージ１５以外にハム、ポーク、卵焼き、ハンバーグ、チーズ、牛肉、チキン、エビフライ、ゆで卵、コロッケ、カツ、唐揚げ、コーン、バナナ  チョコレート、りんご、つぶあん、レタス１７以外にタマネギ、キャベツ、キュウリ１６以外に大根、人参、トマト、セロリ、ポテトなど任意の野菜食材を選択してもよい。【００１１】さらに液体調味料１４以外に、マヨネーズ、ソース、ケチャップ、バター、チーズ、マスタード、タルタルソース、各種液体調味料をかけてもよい。
さらに、トッピング材料は、これを省略してもよい。
【符号の説明】
【００１２】１０・・・パン
１１・・・開口部
１２・・・底部
１３・・・収容部
１４・・・液体調味料
１５・・・ソーセージ
１６・・・キュウリ
１７・・・レタス
【図１】
0003234109.tif 000003
【図２】
0003234109.tif 000004
【図３】
0003234109.tif 000005
【図４】
0003234109.tif 000006